Podtech/llm-jp-corpus-v4-ja_patent huggingface dataset:
(57)【要約】      （修正有）【課題】作為的にスイッチを操作して、ＬＥＤを点灯させることなく、自然の動きに合わせて無作為にＬＥＤの点灯を行う構造でありながら、作為的にもスイッチを入れることができるＬＥＤを用いた装飾品を提供する。【解決手段】外装ケース内にＬＥＤ及び電池ボックスを内蔵させ、紐状に構成した導電性のあるスイッチ部を外装ケースから吊り下げることで、このスイッチ部が身体の動きや風等により接触し、ＬＥＤを点灯させる構成であることを特徴とする。【選択図】図１
0003150169.tif 000002
【実用新案登録請求の範囲】
【請求項１】
ＬＥＤ１を電池ボックス４に隣接して取り付け、ＬＥＤの点灯を、導電性のある電線３と導電性のある接触部２で構成する吊り下げスイッチが行うことを特徴とするＬＥＤを用いた装飾品。
【請求項２】
吊り下げスイッチの構造に、様々な形状を選択できることを特徴とする請求項１記載のＬＥＤを用いた装飾品。
【考案の詳細な説明】
【技術分野】
【０００１】
本考案は、ＬＥＤを用いた装飾品に関する。
【背景技術】
【０００２】
近年ＬＥＤは省電力でありながら、様々な色を発光し色も変化する製品が販売されている。このＬＥＤを用いて、夜間に人の存在を警告させたり、発光の変化を利用して装飾品や身飾品として利用されている。
【０００３】
ＬＥＤを利用した装飾品では、実用新案登録第３１００４２９号に於いて、イヤリング等としての利用例が記載されているが、LEDを点灯させる方法としては、作為的にスイッチを操作して行うに留まっている。無作為に身体の動きや風等により、スイッチが入り作為的にもスイッチ操作ができる構成は記載されていない。
【先行技術文献】
【特許文献】
【０００４】
【特許文献１】実用新案登録第３１００４２９号（図１及び５頁）
【考案の概要】
【考案が解決しようとする課題】
【０００５】
解決しようとする課題は、作為的にスイッチを操作して、ＬＥＤを点灯させることなく、自然の動きに合わせて無作為にＬＥＤの点灯を行う構造でありながら、作為的にもスイッチを入れることができる構成を提供することにある。
【課題を解決するための手段】
【０００６】
本考案は、外装ケース内にLED及び電池ボックスを内臓させ、紐状に構成した導電性のあるスイッチ部を外装ケースから吊り下げることで、このスイッチ部が身体の動きや風等により接触し、ＬＥＤを点灯させる構成であることを特徴とする。
【考案の効果】
【０００７】
本考案のＬＥＤを用いた装飾品を装着すると、身体の動きや風等によりＬＥＤの点灯スイッチが操作され、無作為にＬＥＤが点灯され、鞄や衣服等に装着した場合、夜間の歩行時にＬＥＤが点灯して、人の存在を知らせることができ、祭り等のイベント時に装着することで、雰囲気を盛り上げることができる。また、スイッチ部を操作するように作為的動作を行えば、ＬＥＤを点灯させることが可能である
【図面の簡単な説明】
【０００８】
【図１】本考案の一例の正面透視図
【図２】本考案の一例の側面図
【図３】スイッチ部を棒状にした一例の正面図
【図４】スイッチ部を球と棒状にした一例の正面図
【図５】スイッチ部を風鈴状にした一例の正面図
【考案を実施するための形態】
【０００９】
本考案の詳細について、図面を引用して説明する。
【実施例１】
【００１０】
ＬＥＤ１を電池ボックス４に隣接して取り付け、ＬＥＤ１の端子の一方を、電池ボックス４に収納された電池６の一方へ接続し、ＬＥＤ端子５のもう一方を、吊り下げスイッチの一方へ接続する。吊り下げスイッチのもう一方を、電池ボックス４に収納された電池６のもう一方へ接続する。吊り下げスイッチは電池ボックス４の端部へ固定し、容易に脱落しないようにする。これらLED１と電池ボックス４と吊り下げスイッチが取り付けられたものを、外装ケース７内に収納し固定する。外装ケース７の上部先端には、本体を吊り下げるための、吊り下げ部８を設ける。図１は本考案の一例の正面透視図、図２は本考案の一例の側面図である。
【００１１】
吊り下げスイッチは、導電性のある電線３に導電性のある球等の接触部２を通し、スイッチを構成するように２本ぶら下げる。吊り下げスイッチの長さは、２本同じ長さでもよいが、片側を短くしてもよい。
【００１２】
本体を装着し、身体の動きや風等により、吊り下げスイッチの接触部２が接触することで、無作為にＬＥＤのスイッチが入り、数秒間ＬＥＤ１が色の変化を伴いながら点滅する。当然ながら、この接触部２が接触するように作為的動作を行えば、ＬＥＤを点灯させることが可能である。
夜間等は鞄や衣服等に装着し、歩行時等にＬＥＤ１が点灯して、人の存在を知らせることができ、祭り等のイベント時に装着することで、雰囲気を盛り上げることができる。
【００１３】
２本のスイッチの接触が容易にできる又は接触しにくくする等の調整は、２本のスイッチの距離で調整する。
外装ケース７は、透明の樹脂製が望ましいが、薄く着色してもよい。また、外装ケース７の形状も、丸型、提灯型、果実型、宝石型等様々な形状のデザインを採用することも可能である。
【実施例２】
【００１４】
吊り下げスイッチの構造は球に限定するものではなく、棒状の接触部２としたり、球と棒状の組合せにしたり、風鈴のような形状にしてもよい。このようにスイッチ部は、デザイン性を持たせて、様々な形状を採用することも可能である。
図３はスイッチ部を棒状にした一例の正面図、図４はスイッチ部を球と棒状にした一例の正面図、図５はスイッチ部を風鈴状にした一例の正面図である。
【産業上の利用可能性】
【００１５】
このＬＥＤを利用した装飾品は工業生産が可能であり、供給者による製造、販売が可能である。
【符号の説明】
【００１６】
１  ＬＥＤ
２  接触部
３  導電性電線
４  電池ボックス
５  ＬＥＤ端子
６  電池
７  外装ケース
８  本体吊り下げ部
【図１】
0003150169.tif 000003
【図２】
0003150169.tif 000004
【図３】
0003150169.tif 000005
【図４】
0003150169.tif 000006
【図５】
0003150169.tif 000007
(57)【要約】      （修正有）【課題】一般のフェライト永久磁石を埋め込んだ貼付式磁気治療貼着絆創膏では、個人差により、痛み・凝り・張り・浮腫がなかなかとれない不具合があり、磁石片による磁力線の効果を最適にした貼着絆創膏を提供する。【解決手段】Ｓ極磁性体回りに、間隔を有してＮ極磁性体を対称に配列したことを特徴とする貼着絆創膏で、更に、必要に応じて前記Ｓ極磁性体回りに、間隔を有してＳ極磁性体を前記Ｎ極磁性体と直交する対称位置に配列した。また、前記Ｓ極磁性体回りのＮ極磁性体、若しくはＳ極磁性体との間隔は、痛み・凝り・張り・浮腫や個人差に応じて、適正な１０ｍｍ〜２０ｍｍとした。【選択図】図１
0003150172.tif 000002
【実用新案登録請求の範囲】
【請求項１】
S極磁性体回りに、間隔を有してN極磁性体を対称に配列したことを特徴とする貼着絆創膏。 
【請求項２】
S極磁性体回りに、間隔を有してN極磁性体を対称に配列し、更に前記S極磁性体回りに、間隔を有してS極磁性体を前記N極磁性体と直交する対称位置に配列したことを特徴とする請求項１に記載の貼着絆創膏。
【請求項３】
上記S極磁性体回りのN極磁性体、若しくはS極磁性体との間隔が１０ｍｍ〜２０ｍｍであることを特徴とする請求項１、又は請求項２に記載の貼着絆創膏。
【考案の詳細な説明】
【技術分野】
【０００１】
貼付式磁気治療具の磁石片の個人差や症状に応じて最適に配列した貼着絆創膏関するものである。
【背景技術】
【０００２】
フェライト永久磁石を埋め込んだ貼付式磁気治療貼着絆創膏が市販されているが、痛み・凝り・張り・浮腫みの程度や個人差に調整適応した貼着絆創膏は市販されていない。
【先行技術文献】
【特許文献】
【０００３】
【特許文献１】特開平９−１２２２５４公報
【考案の概要】
【考案が解決しようとする課題】
【０００４】
一般市販のフェライト永久磁石を埋め込んだ貼付式磁気治療貼着絆創膏では、痛み・凝り・張り・浮腫みがなかなかとれない不具合があり磁石片による磁力線の効果を最適にした貼着絆創膏の提供が切望されていた。
【課題を解決するための手段】
【０００５】
本考案は、S極磁性体回りに、間隔を有してN極磁性体を対称に配列したことを特徴とする貼着絆創膏で、更に、必要に応じて前記S極磁性体回りに、間隔を有してS極磁性体を前記N極磁性体と直交する対称位置に配列した。また、前記S極磁性体回りのN極磁性体、若しくはS極磁性体との間隔は、痛み・凝り・張り・浮腫みや個人差に応じて、適正な１０ｍｍ〜２０ｍｍとした。
【考案の効果】
【０００６】
本考案では、一般市販のフェライト永久磁石でなかなかとれない痛み・凝り・張り・浮腫みを同じ磁束密度の磁性体３個（Ｎ極、Ｓ極、Ｎ極）を適正な間隔を有して配列した貼着絆創膏を貼ることにより、痛み・凝り・張り・浮腫みをより早く緩和させてくれる効果があった。市販の磁性体の磁束密度は、８０ｍＴ、１３０ｍＴ、１８０ｍＴとあり、磁性体の磁束密度を症状に応じて調整することにより、いろんな痛みの個人差にも対応でき効果が現れた。また、前記Ｓ極磁性体回りに、間隔を有してＳ極磁性体を前記Ｎ極磁性体と直交する対称位置に配列した貼着絆創膏は、特に浮腫みには効果が現れた。
【図面の簡単な説明】
【０００７】
【図１】３個の磁性体をN極、S極、N極の順に間隔を有して横直線状に配列した貼着絆創膏の説明図
【図２】S極磁性体回りに、N極とS極が直交する如く間隔を有して対称に配列した貼着絆創膏の説明図
【図３ａ】図１と図２に図示の貼着絆創膏をそれぞれ２枚並べて貼った例の説明図
【図３ｂ】図１に図示の貼着絆創膏を２枚並べて貼った例の説明図である。
【図３ｃ】図１と図２に図示の貼着絆創膏をそれぞれ１枚並べて貼った例の説明図である。
【考案を実施するための形態】
【０００８】
本考案の具体的実施例を一般市販使用のフェライト永久磁石を使用した事例につき、図１から図３を参照して以下説明する。
痛み・凝り・張り・むくみの度合いや個人差により、本考案の貼着絆創膏では、磁性体の間隔を１０ｍｍ〜２０ｍｍに調整して効果の不具合を段階的に解決した。具体的には、間隔が１０ｍｍの貼着絆創膏には、磁束密度８０mTのフェライト永久磁石使用し、間隔が１５ｍｍの貼着絆創膏には、磁束密度１３０mTのフェライト永久磁石使用した。更に、間隔が２０ｍｍの貼着絆創膏には、磁束密度１８０mTのフェライト永久磁石使用した。
人体に使用が認められている従来の磁石は２０００ガウス＝２００mT[１ガウス=O.１mT（ミリテラス）とは、１сｍ２に１本の磁力線があるという意味]以内で表面磁力を高めるもの。また有効磁力線の長さは、一般的に１０ｍｍ〜２０ｍｍ平均とされている。そこで、それぞれの貼着絆創膏を使い分ける事により効果の不具合の課題を解決できた。
【実施例１】
【０００９】
図１に図示する如く、３個の磁性体であるN極磁性体１b、S極磁性体１a、N極磁性体１bの順に間隔を有して横直線状に配列した直線型貼着絆創膏１について説明する。一番痛み・凝り・張りのある箇所を探し、S極磁性体１aがその皮膚に当たるようにし、気の流れ（神経又は血管）に直角に張る。痛み・凝り・張りの度合いや個人差により磁束密度８０ｍＴ、１３０ｍＴ、１８０ｍＴを使い分けた。
【実施例２】
【００１０】
図２に図示する如く、図１に図示の直線型貼着絆創膏１に、S極磁性体２aを中心に上・下対称に間隔を有してS極磁性体２a を縦直線状に配列したクロス型貼着絆創膏２の場合について説明する。本実施例では、前記実施例１と貼る箇所は同じで、更に効果を早く高めたい時に貼るクロス型貼着絆創膏２で、痛み・凝り・張りの度合いにより磁束密度８０mT、１３０mT、１８０mTを使い分けた。
【実施例３】
【００１１】
図３aに図示する本実施例では、腕の関節に痛みがある場合、直線型貼着絆創膏１を関節の上下に、更に、腰に痛みがある場合、クロス型貼着絆創膏２を背骨中心に左右対称に、それぞれ２枚並べて貼った例である。
図３ｂに図示する実施例では、肩関節に痛みがある場合、直線型貼着絆創膏１を関節の上下に２枚並べて貼った例である。
図３ｃに図示する実施例では、足の浮腫みが大きい場合は図１と図２に図示する直線型貼着絆創膏１とクロス型貼着絆創膏２を上下に並べて貼った事例である。
【産業上の利用可能性】
【００１２】
上記実施例では、腕・肩・足首・腰についての適用事例であったが、膝・首・背中・ふくらはぎ・大腿部に適用できる。
【符号の説明】
【００１３】
１  直線型絆創膏
１a  S極磁性体
１b  N極磁性体
２  クロス型絆創膏
２a  S極磁性体
２b  N極磁性体
【図１】
0003150172.tif 000003
【図２】
0003150172.tif 000004
【図３ａ】
0003150172.tif 000005
【図３ｂ】
0003150172.tif 000006
【図３ｃ】
0003150172.tif 000007
(57)【要約】      （修正有）【課題】記入範囲の拡大を図ったリングを有するバインダー式システム手帳を提供する。【解決手段】用紙部分を横長とすると同時に一方の背表紙をこれに合わせて横長とすることにより、用紙部分を横長として用い、携帯する場合はこれを二つに折り畳めるようにする。さらに、右手利きの利用者はリング部分を左に、左手利きの利用者は、リング部分を右にして使用することで、いずれの場合も記載範囲を拡大できる。【選択図】図２
0003150186.tif 000002
【実用新案登録請求の範囲】
【請求項１】
バインダー式のシステム手帳であって、用紙がこれを綴じるリング部分を短辺とする横長の長方形であり、バインダー背表紙のリング部分に対する一方の背表紙が用紙のサイズに応じて横長の長方形であり、この横長の長方形の背表紙は２つ折りに出来るような折り目または柔軟構造を有し、携帯する際は横長の用紙と背表紙を共に２つ折りにして使用することを特徴とするシステム手帳。
【請求項２】
横長の背表紙部分を２つ折りにして閉じる際の背表紙の重なり部分にロック装置が設置されてあることを特徴とする請求項１に記載のシステム手帳。
【考案の詳細な説明】
【技術分野】
【０００１】
本考案はメモ記載時の利便性が高く、かつ携帯性に優れた折り畳み型システム手帳に関するものである。
【背景技術】
【０００２】
システム手帳は、ページサイズＡ６程度からＡ５程度のものが標準的であるが、バインダー式の場合、中央のリングが邪魔になり、（右手利きの場合）左ページへの記載が行いにくい。そこで、右ページのみに記載すると、記載範囲が十分でないことがある。
【０００３】
こうした欠点を改善するために特許文献１においては、左ページの下部に折り曲げ可能な台紙を設置し、リング部分と紙面との高さを同じにして手が当らないように考案している。また特許文献２においては、単なる用紙ではないものの複数枚のつづら折りの袋状フィルムを閉じ込むことにより、メモ用紙や写真などを右側に広く収納できる考案をしている。また特許文献３においてはＡ５サイズの手帳の横幅を半分程度にするに際して、用紙を半分に折り、携帯性を向上させる考案がなされている。
【０００４】
これらは左ページの記入利便性の向上や、右ページの使い勝手向上、折り畳みによるコンパクト性と記入スペース確保の両立などをある程度実現しているが、いずれもシステム手帳に求められる機能的要件を完全に満たしているものではなく、用途に応じた更なる改良が求められていた。
【先行技術文献】
【特許文献】
【０００５】
【特許文献１】実開平６−２４９６５
【特許文献２】実用新案登録第３０５８１６２
【特許文献３】実用新案登録第３１４５３１０
【考案の概要】
【考案が解決しようとする課題】
【０００６】
解決しようとする問題点は、リングを有するバインダー式のシステム手帳における記入機能である。
【課題を解決するための手段】
【０００７】
本考案者は鋭意検討した結果、上記課題は、下記１：から２：の本考案により達成されることを見出し、本考案を完成するに至った。
１：
バインダー式のシステム手帳であって、用紙がこれを綴じるリング部分を短辺とする横長の長方形であり、バインダー背表紙のリング部分に対する一方の背表紙が用紙のサイズに応じて横長の長方形であり、この横長の長方形の背表紙は２つ折りに出来るような折り目または柔軟構造を有し、携帯する際は横長の用紙と背表紙を共に２つ折りにして使用することを特徴とするシステム手帳。
２：
横長の背表紙部分を２つ折りにして閉じる際の背表紙の重なり部分にロック装置が設置されてあることを特徴とする１：に記載のシステム手帳。
【考案の効果】
【０００８】
本考案によるシステム手帳は、図２に示すように用紙部分を横長とすると同時に一方の背表紙をこれに合わせて横長とすることにより記載可能な用紙面積を増やせると同時に、横長とした背表紙を２つ折り可能な構造とすることにより携帯が容易となるものである。用紙の裏面に記載したい場合は用紙を半分に折るか、斜めに折ることにより裏面に記載すると同時に用紙の一部をページ見出しとすることも可能である。
【０００９】
また、左手利きの人が記載する場合はリング部分を右側として使うことも考慮に入れ、用紙上下のタイトル行やページ番号行など用紙周辺部分の構成を上下対称にすることにより不便を来たさないように出来る。
【００１０】
本考案によるシステム手帳を持ち運ぶ場合は、図４のように横長の背表紙を二つ折りにする。閉じ具であるロック装置（３）は、紐、ボタン、鍵、磁石などを付与することが可能である。ロック装置の部分にＵＳＢメモリともなり得る電子回路やＩＣタグを設置し、手帳の開閉時刻を自動的に記録したり、指紋認証装置を設置して登録者以外は手帳を開けないようにすることも可能である。
【図面の簡単な説明】
【００１１】
【図１】図１は従来のシステム手帳の説明図である。
【図２】図２は本考案の折り畳み型システム手帳を示した説明図である。
【図３】図３は本考案の折り畳み型システム手帳を横から見た説明図である。
【図４】図４は本考案の折り畳み型システム手帳を折り畳んだ状態の説明図である。
【考案を実施するための形態】
【００１２】
システム手帳の用紙部分を横長とすると同時に一方の背表紙をこれに合わせて横長とし、用紙を横長として使用することにより、記載時はリング部分が邪魔になることもなく、紙面を広く使うことが出来、携帯時は図４のように折り曲げることが出来る。
【実施例１】
【００１３】
図２は、本考案システム手帳の１実施例の展開図であって、右手利きの使用者の場合はリング部分を左に、左手利きの使用者の場合はリング部分を右に設置して用いる。使用後は図４のように折り畳んで携帯することが出来る。
【産業上の利用可能性】
【００１４】
本考案によるシステム手帳は、用紙部分を横長とすると同時に背表紙の一方をこれに合わせて横長とすることにより、記入時にリングが手の邪魔にならないようにすると共に、用紙の利用効率を高め、二つ折りにすることにより携帯性を高めることが出来る。しかも左右の表紙の併せ部分のロック装置にＵＳＢメモリやＩＣタグ等の電子部品を設置し、手帳の開閉記録をしたり、電子情報を保管することや、指紋認証等セキュリティー向上の仕組みを搭載するにも好適である。
【符号の説明】
【００１５】
１    システム手帳の背表紙の折り目
２    システム手帳のリング
３    システム手帳を閉じるロック装置
【図１】
0003150186.tif 000003
【図２】
0003150186.tif 000004
【図３】
0003150186.tif 000005
【図４】
0003150186.tif 000006
(57)【要約】      （修正有）【課題】川に流しても川を汚すことがない川灌頂札を提供する。【解決手段】川灌頂札１の上部に山形部２を形成し、上部側の左右側部に切り込み部３を設けて塔婆形状に形成した水溶性の紙４の表面に、梵字で書かれた経文５が印刷し、この下に例えば「先祖代々之精霊位」と「有縁無縁」、「三界萬霊」などの文字６が印刷する。更に水溶性の紙４の表面に木目模様７が印刷する。【選択図】図１
0003150155.tif 000002
【実用新案登録請求の範囲】
【請求項１】
塔婆形状に形成した水溶性の紙の表面に、経文を印刷したことを特徴とする川灌頂札。
【請求項２】
紙の表面に木目模様を印刷したことを特徴とする請求項１記載の川灌頂札。
【考案の詳細な説明】
【技術分野】
【０００１】
本考案は、川灌頂札に関するものである。
【背景技術】
【０００２】
福島県の郡山や田村地域では、昔から先祖の霊を迎えてお盆が終わった後、送り盆の行事として、仏様へのお供えと共に、札に経文を書いた川灌頂札を添えて、線香に火を付けて川に流す川灌頂流しが行なわれている。
【０００３】
近年環境問題からお供えを川に流すことは少なくなりお寺に納めることが多いが、川灌頂札は今でも川に流すことが行なわれている。この川灌頂札流しも川を汚す問題があり、その対策が望まれていた。
【考案の概要】
【考案が解決しようとする課題】
【０００４】
本考案は上記問題を改善し、川に流しても川を汚すことがない川灌頂札を提供するものである。
【課題を解決するための手段】
【０００５】
本考案の請求項１記載の川灌頂札は、塔婆形状に形成した水溶性の紙の表面に、経文を印刷したことを特徴とするものである。
【０００６】
本考案の請求項２記載の川灌頂札は、請求項１において、紙の表面に木目模様を印刷したことを特徴とするものである。
【考案の効果】
【０００７】
本考案に係る請求項１記載の川灌頂札によれば、そのまま川に流しても、流れているうちに水に溶けてしまい、自然に短時間で分解されて、川を汚すことがない。
【０００８】
また請求項２記載の川灌頂札によれば、塔婆形状に形成した水溶性の紙の表面に木目模様が印刷されているので、経木で作った川灌頂札と外形状も同様に形成することができる。
【考案を実施するための最良の形態】
【０００９】
以下本考案の実施の一形態を図１を参照して詳細に説明する。図において１は川灌頂札を示すもので、これは上部に山形部２を形成し、上部側の左右側部に切り込み部３を設けて塔婆形状に形成した水溶性の紙４の表面に、梵字で書かれた経文５が印刷され、この下に例えば「先祖代々之精霊位」と「有縁無縁」、「三界萬霊」などの文字６が印刷されている。更に水溶性の紙４の表面に木目模様７が印刷されている。
【００１０】
上記構成の川灌頂札は、塔婆形状に形成した紙３の表面に木目模様７が印刷されているので、経木で作った従来の川灌頂札１と外形状も同様で、これをそのまま川に流しても、流れているうちに水に溶けてしまい、自然に短時間で分解されて、川を汚すことがない。
【００１１】
図２は本考案の他の実施の形態による川灌頂札１で、上部に山形部２を形成した塔婆形状の水溶性の紙４の表面に、梵字で書かれた経文５と、この下に文字６を印刷したものである。
【図面の簡単な説明】
【００１２】
【図１】本考案の実施の一形態による川灌頂札の表面図である。
【図２】本考案の他の実施の形態による川灌頂札の表面図である。
【符号の説明】
【００１３】
１  川灌頂札                                                
２  山形部                                                  
３  切り込み部                                              
４  水溶性の紙                                              
５  経文                                                    
６  文字                                                    
７  木目模様                                                
【図１】
0003150155.tif 000003
【図２】
0003150155.tif 000004
(57)【要約】      （修正有）【課題】皮革や織物による鞄の生地（素材）と口金とを着脱自在とすることにより、鞄の修繕を容易にする器具を提供する。【解決手段】ステンレス帯材等適宜素材を弓なりに曲げて形成した素材固定器具本体１を、ボルト２とナット３を介して口金４に、固定する素材５を挟む。ボルトとナットで留めるため素材と口金の着脱が容易であり、鞄の修繕が容易に行えるようになる。【選択図】図３
0003150102.tif 000002
【実用新案登録請求の範囲】
【請求項１】
弓なりに曲げた帯の両端にボルト穴を設け、これと口金で皮革や織物を挟み、ボルトを通しナットで固定し、着脱自在としたことを特徴とする、皮革や織物を口金に固定する器具。
【考案の詳細な説明】
【技術分野】
【０００１】  本考案は、弓なりに曲げた帯にボルト穴を設けた、皮革や織物を口金に固定する器具に関するものである。
【背景技術】
【０００２】  大量の物品を収納した鞄において中身を出し入れする場合、鞄全体が大きく変形し出し入れが困難になる。この問題に対応した、変形の小さい鞄として「ダレスバッグ」と呼ばれている口金留め式の鞄がある。口金留め式の鞄は、皮革や織物による鞄の生地（以下、素材と記す）で口金を包み、縫って封じる構造である。また一部の鞄は金属帯と口金で素材を挟み、リベットで留める構造である。【０００３】  その他、例えば特許文献１に開示されているように、素材を口金に挟んで固定することで組み立ての簡略化を図り、かつ側壁の高い断面形状とすることで変形を小さく抑えられるようになっている。
【先行技術文献】
【特許文献】
【０００４】
【特許文献１】実登第３０５４３５５号
【非特許文献】
【０００５】
【非特許文献１】ポイントを学ぶ材料力学（昭和６３年３月２５日発行）丸善
【考案の概要】
【考案が解決しようとする課題】
【０００６】  しかし、例えばリベット留めの場合、素材を圧着する力が不均等で、実用に耐える荷重性能を鞄に持たせるにはリベットの本数を多くしなければならない。また、その他の従来の技術でも口金と素材の分解が難しいことが多く、鞄の修繕は困難である。
【課題を解決するための手段】
【０００７】  非特許文献１などでは、全長に等分布荷重を受ける単純支持梁の撓みの曲線について解説されている。この弓なりに曲がった曲線を、梁の軸に対して垂直方向に反転させて与えた帯の凸面に素材を挟み、帯の両端をそれぞれボルトナット等で口金に締結したならば、素材を圧着する力は均等になり、且つ帯の全長を長く、与える撓みを大きくして取り付けることにより、部品点数を少なくできる。本考案は、弓なりに曲げた帯の両端にボルト穴を設け、これと口金で素材を挟み、ボルトを通しナットで固定し、着脱自在とすることにより問題点を解決している。
【考案の効果】
【０００８】  上述の様に、本考案の素材固定器具はリベットの本数を減らすことができることから、口金の加工工程の合理化に役立つ。且つボルトナット留めであるため素材と口金の着脱が容易であり、鞄の修繕が容易に行えるようになる。
【図面の簡単な説明】
【０００９】
【図１】本考案の素材固定器具の斜視図である。
【図２】本素材固定器具の実施例を示す、装着前の断面図である。
【図３】本素材固定器具の実施例を示す、装着後の断面図である。
【考案を実施するための形態】
【００１０】  素材固定器具本体の凸面で、布や革などの素材を口金に挟み、口金に取り付けたボルトを素材固定器具本体両端のボルト穴に通し、ナットで留め、締結する。
【実施例】
【００１１】  以下、添付図面に従って一実施例を説明する。１はステンレス帯材等適宜素材にて形成された素材固定器具本体で、これを２のボルトと３のナットを介して４の口金に、５の固定する素材を挟む。
【符号の説明】
【００１２】    １  素材固定器具本体
２  ボルト
３  ナット
４  口金
５  素材
【図１】
0003150102.tif 000003
【図２】
0003150102.tif 000004
【図３】
0003150102.tif 000005
(57)【要約】      （修正有）【課題】竹などの天然素材を骨格にし、その上に漆喰を塗り込むことで、吸湿防止やホルムアルデヒドの吸収など住環境の改善にも役立ち、かつ廃棄処分も容易な植木鉢を提供する。【解決手段】竹材により必要とする大きさ及び形状の骨組みを形成する。つぎに前記竹材からなる骨組みの外周を麻布で覆い、該麻布をしゅろ縄によって押さえて骨組み部材を形成する。前記竹、麻布及びしゅろ縄からなる骨組み部材の外周に漆喰６により下塗りを行う。前記下塗りの外周に上塗りを行う。さらに表面仕上げ、続いて漆喰磨きが行われて外周の漆喰塗りが完成する。内面に前記外周と同様に漆喰６の下塗り、上塗り、表面仕上げ、漆喰磨きにより内面塗り１２が行われ、自然乾燥させた後に表面を再度仕上げることにより植木鉢Ａが完成する。【選択図】図９
0003150108.tif 000002
【実用新案登録請求の範囲】
【請求項１】
漆喰（６）で形成されてなることを特徴とする植木鉢。
【請求項２】
骨組み部材（５）が竹（１）、麻布（３）及びしゅろ縄（４）などの天然素材により形成されてなることを特徴とする請求項１に記載の植木鉢。
【考案の詳細な説明】
【技術分野】
【０００１】
本考案は、植物の育成と鑑賞を楽しみつつ住いの環境改善及び自然環境保護に役立つ植木鉢に関する。
【背景技術】
【０００２】
従来、植物の育成と鑑賞を楽しむための植木鉢は、一般に陶器製あるいは合成樹脂製のものが提供されている。
【先行技術文献】
【特許文献】
【０００３】
前記陶器製あるいは合成樹脂製の植木鉢は、使用を継続し最終段階における廃棄処分時に自然環境破壊（公害）問題が生じる場合があった。そこで、原料を木材廃棄チップなどで形成し、植木鉢の形成時に複数の糊の調合と温度と圧力などの調整により、植木鉢が自然の中で風化する期間を設定でき、使用を継続し、最終段階において自然に戻し自然破壊（公害）問題が生じない、自然環境型の植木鉢が提案されている（特開２００５−７３６８７号公報参照）。
【０００４】
その他、植木鉢にトルマリン鉱石の粉末を合成樹脂に混ぜて射出成形機で成形したトルマリン含有植木鉢であって、植物の発育促進、消臭効果、抗菌効果、熟成保持効果、殺菌効果、空気浄化、ゴミにならない、汚れにくい等の効果を期待できる住いの環境改善型の植木鉢が提案されている（特開２００６−１６６８９２号公報参照）。
【０００５】
【特許文献１】特開２００５−７３６８７号公報
【特許文献２】特開２００６−１６６８９２号公報
【考案の概要】
【考案が解決しようとする課題】
【０００６】
前記の自然環境型の植木鉢も住いの環境改善型の植木鉢もそれぞれの目的とする効果が得られるものと思われるが、本考案は、さらに優れた住いの環境改善及び自然環境保護に役立つ植木鉢を提供することを目的とする。
【課題を解決するための手段】
【０００７】
前記課題を解決するため、本考案の植木鉢は、漆喰で形成されてなることを特徴とする（請求項１）。この本願構成の植木鉢は、後述するように住いの環境改善さらには自然環境保護に役立つ効果が得られるものである。
【０００８】
本考案の実施の一形態は、骨組み部材が竹、麻布及びしゅろ縄などの天然素材により形成されてなることを特徴とする（請求項２）。この実施の一形態によれば、前記住いの環境改善に加えて、使用を継続し最終段階における廃棄処分が容易であり自然環境破壊（公害）などの問題が生じないものである。
【考案の効果】
【０００９】
漆喰は、消石灰にふのりや角叉（つのまた）などの粘着剤と麻糸などの繊維質を加え水で練り合わせて構成され、時には砂や粘土を加えて構成される。まず、本考案に係る植木鉢の住いの環境改善について述べると、主成分の消石灰（水酸化カルシウム）が空気中の二酸化炭素を吸収し続け、永年を経て石灰石（炭酸カルシウム）に戻り固まる。
【００１０】
さらに、漆喰は、高アルカリ性で、ホルムアルデヒドを吸着・分解し、一旦吸着したホルムアルデヒドを放出することがない。したがって、シックハウス対策に有効であり、さらに、主成分である消石灰の微細孔により高い吸湿性を有し結露の防止・抑制効果を有する。その他、不燃性であるため火に対して安全であり、さらに、カビや細菌の発生・増殖を予防する等、住居環境の改善に役立つ。
【００１１】
つぎに、自然環境の改善について述べると、骨組み部材として天然素材を使用することにより使用を継続した後の最終段階で処分する場合にも自然環境破壊（公害）などの問題が生じることがない。
【図面の簡単な説明】
【００１２】
【図１】本考案に係る植木鉢の製造工程の一例を示す斜視図であり、骨組の斜視図である。
【図２】骨組み部材の斜視図である。
【図３】下塗り状態を示す斜視図である。
【図４】上部補強塗り状態を示す斜視図である。
【図５】上塗り状態を示す斜視図である。
【図６】表面仕上げ状態を示す斜視図である。
【図７】漆喰磨き状態を示す斜視図である。
【図８】中面塗り状態を示す斜視図である。
【図９】表面仕上げ状態を示す斜視図である。
【考案を実施するための形態】
【００１３】
以下に本考案の植木鉢の製造工程の一例を図面に基づいて説明する。まず、竹材１により必要とする大きさ及び形状の骨組み２が形成される（図１）。つぎに前記竹材１からなる骨組み２の外周を麻布３で覆い、該麻布３をしゅろ縄４によって押さえて骨組み部材５を形成する（図２）。
【００１４】
つぎに、前記竹１、麻布３及びしゅろ縄４からなる骨組み部材５の外周に漆喰６により下塗り７が行われる（図３）。さらに上部（口部）を整えるとともに上部の補強塗り８が行われる（図４）。
【００１５】
つぎに、前記下塗り７の外周に上塗り９が行われる（図５）。さらに表面仕上げ１０（図６）、続いて漆喰磨き１１（図７）が行われて外周の漆喰塗りが完成する。
【００１６】
つぎに、未だ骨格５のままの内面に前記外周と同様に漆喰６の下塗り、上塗り、表面仕上げ、漆喰磨きにより内面塗り１２が行われ（図８）、自然乾燥させた後に表面を再度仕上げることにより植木鉢Ａが完成するものである（図９）。
【００１７】
なお、前記本考案の植木鉢は、前記の製造方法の他、適宜の型枠を使用しても製造することができる。
【符号の説明】
【００１８】
１    竹
２    骨組み
３    麻布
４    しゅろ縄
５    骨組み部材
６    漆喰
【図１】
0003150108.tif 000003
【図２】
0003150108.tif 000004
【図３】
0003150108.tif 000005
【図４】
0003150108.tif 000006
【図５】
0003150108.tif 000007
【図６】
0003150108.tif 000008
【図７】
0003150108.tif 000009
【図８】
0003150108.tif 000010
【図９】
0003150108.tif 000011
(57)【要約】      （修正有）【課題】自動車の助手席や後部座席に荷物を置いて走行中、座席上の荷物の飛び出しを防止する防止具を提供する。【解決手段】形状をＬ字型とした基板１に、少なくとも背もたれ部の底部にあたる位置を除き、滑り止め加工が施され自動車の助手席あるいは後部座席の背もたれ部４と座部５の隙間に差し込まれることを特徴とする座席上の荷物飛び出し防止ガード。【選択図】図1
0003150104.tif 000002
【実用新案登録請求の範囲】
【請求項１】
形状をＬ字型とした基板に、少なくとも背もたれ部の底部にあたる位置を除き滑り止め加工が施され自動車の助手席あるいは、後部座席の背もたれ部と座部の隙間に差し込まれることを特徴とする座席上の荷物飛び出し防止ガード。
【考案の詳細な説明】
【技術分野】
【０００１】
本考案は自動車の座席上の荷物飛び出し防止ガードに関する。
【背景技術】
【０００２】
従来は自動車の助手席や後部座席に荷物を置いて走行中に大きくカーブを切ったり、強くブレーキを踏んだ際、荷物が前に放り出されたり転倒して中身が散乱したり、損傷したりしていた。また荷物を気にして運転中に注意力が散漫になっていた。
なお関連技術に下記物件がある。
【先行技術文献】
【特許文献】
【０００３】
【特許文献１】特開２００１−１５８３０２号公報
【特許文献２】特開２００５−２８９３３９号公報    上記特許文献１は、自動車の座席に置かれた荷物に当接するための固定ベルトと、シートベルトに連結するためのホルダーと、シートベルトの接続金具（メス）に連結するための接続金具（オス）から構成される自動車の荷物落下止めベルト。        さらに特許文献２は、車輌用の座席部に載置した荷物が転落するのを防止する車輌用荷物転落防止具において、一対の軸支部と、該一対の軸支部のそれぞれに両端を軸支された複数の骨材部と、該骨材部を所定の間隔に保持する展開・折畳み自在なカバー部とを備え、前記カバー部を折畳んだときに前記座席部の周囲に沿って前記骨材部を配し、前記カバー部を展開したときに前記一対の軸支部を軸中心にして前記座席部を覆うように前記骨材部を所定の間隔に保持して配したことを特徴する車輌用荷物転落防止具との記載があった。
【考案の概要】
【考案が解決しようとする課題】
【０００４】
従来は自動車の助手席や後部座席に荷物を置いて走行中に大きくカーブを切ったり、強くブレーキを踏んだ際、荷物が前に放り出されたり転倒して中身が散乱したり、損傷したりしていた。また荷物を気にして運転中に注意力が散漫になっていた。
上記特許文献１では、荷物をネットで包み込み落下を防止しようとするものであるが、これでは荷物を圧迫し内容物を破損する恐れがある。また書類鞄や籠などから中身を出し入れする際は、いちいちネットを取り外さなければならず面倒であった。
【０００５】
さらに特許文献２では、座席座部に沿って折りたたんで収納してあった伸縮自在のカバーを前方から引き出し、座席全体を大きく覆って荷物が助手席から下へ落下するのを防止する仕組みであるが、荷物が小さい場合は転倒防止カバーの中で前後や左右
に動き回ったり、転倒したりする恐れがある。その際荷物が転倒防止カバーの中に飛び出したり、破損する事も考えられる。
また複数の骨材を折りたたみ収納する構造なので、収納する際に骨材間や軸支部などに指を挟み怪我をする恐れもある。
本考案では、上記問題を解決するために形状をＬ字型とした基板に、少なくとも背もたれ部の底部に当る位置を除き、滑り止め加工が施され、自動車の助手席あるいは後部座席の背もたれ部と座部の隙間に差し込み固定するだけで荷物を保護する事を目的とするものである。
【課題を解決するための手段】
【０００６】
本考案は上記課題を解決するために、形状をＬ字型とした基板に、少なくとも背もたれ部の底部にあたる位置を除き、滑り止め加工が施され自動車の助手席あるいは後部座席の背もたれ部と座部の隙間に差し込まれることを特徴とする座席上の荷物飛び出し防止ガード。
【考案の効果】
【０００７】
本考案は上記構成から成るので以下に示す効果が期待できる。
１  ブレーキをかけても荷物が前に放り出されない。
２  大きくカーブをきっても荷物が転倒しない。
３  荷物が放り出されたり転倒たりしないので、破損したり散乱しない。
４  荷物を気にして運転が散漫にならず安全運転が可能になる。
５  座席上の荷物飛び出し防止ガードをしたままで中身を簡単に出し入れ出来る。
６  座席上の荷物飛び出し防止ガードを座席の背もたれ部と座部の隙間に差し込むだけなので取り付け、取り外しが簡単である。
７  座席上の荷物飛び出し防止ガードが不要の場合は収納が容易である。
【図面の簡単な説明】
【０００８】
【図１】座席上の荷物飛び出し防止ガード側面図。
【図２】上からの平面図。
【考案を実施するための形態】
【０００９】
以下、本考案の実施形態を図面を参照して説明する。
図１に示すように、金属、化学樹脂や木製等からなり形状をＬ字型とした基板１に、少なくとも背もたれ部に当る位置３を除き、座部５を傷つけない様なゴムや化学樹脂、起毛した布等の柔らかい素材で滑り止め加工２が施されてある。
【００１０】
そして底部に滑り止め加工を施していない部分３を自動車の助手席あるいは後部座
席の背もたれ部４と座部５の隙間に差し込むだけで、座席上の荷物飛び出し防止ガードが設置できる。
【００１１】
つぎに荷物６を基板１の上に置き、座席背もたれ部４と荷物６、さらに基板１の間に隙間ができない様に挟み固定する。底部に滑り止め加工を施さない部分３を設けることで、その作業は非常にスムースで簡単に行うことが出来る。
【００１２】
さらに基板１が荷物６の上部を覆っていないので荷物６を固定したままで中身の出し入れも簡単に出来る。また簡単に取外せ収納も容易である。
そして不安定な荷物を気にして運転が散漫にならず安全運転が可能になる。
【００１３】
また、基板１はひとつで使用しても良いし、後部座席では複数個を組み合わせたり巾の広いものを使っても良い。その場合基板１を二層にし必要な箇所に案内部材を介し、上下どちらかをスライドできるようにして、出し入れ位置を的確に固定できるようにする事は当然考えられる。さらにコーナー部に蝶番を設け内側に折りたたみ式にすることもこの技術内容に含まれる。
【符号の説明】
【００１４】
１  基板
２  滑り止め加工
３  滑り止め不加工
４  座席背もたれ部
５  座面
６  荷物
【図１】
0003150104.tif 000003
【図２】
0003150104.tif 000004
(57)【要約】      （修正有）【課題】木ネジをボルトとナットのように使えるようにし、木ネジ先端の尖った部分が外部に露出した場合、そこに触れて怪我をしないように、またボルトを通す穴が無くても何処にでも木ネジのねじ込める利点を生かし、さらに連結力を高める。【解決手段】六角柱状の合成樹脂の中心２に木ネジより細い穴を開けた構造を有する木ネジ用ナットを利用して、ボルトとナットのように締め付けられる。木ネジが切り込むように入って行くので、多少木ネジの大きさが違っても締めつけられる。【選択図】図３
0003150623.tif 000002
【実用新案登録請求の範囲】
【請求項１】
六角柱状の合成樹脂の中心に木ネジより細い穴を開けた  木ネジ用ナット。
【考案の詳細な説明】
【技術分野】
【０００１】本案は木ねじ用のナットに関する考案である。
【背景技術】
【０００２】従来、薄い板どうしを留めるとき  または  厚い板のほうから薄い板へ木ネジをねじ込む場合留代が少ない為  固定する力が弱かった  また短い木ねじを使わないと  木ねじの先端が出て危ない  という点と  見た目が悪いという点があった、また  通常のボルトとナットで留めたのと比較すれば連結力はかなり劣る、ボルトで留める場合その位置にボルトを通す穴が必要であった、その点木ねじの場合  あまり硬い場合は無理だが任意の場所にねじ込む事が出来る利点がある  また石膏ボード用  又はコンクリート用の留め具はあったが  それ等はドリルで穴を開けた中に差し込み  木ネジをねじ込む事によって内部で膨らんで取れなくなるというもので  二枚の板を接合する目的とは違いまた木ネジの先端の尖った部分が外部に出た場合それを隠すものではなかった。
【考案の開示】
【考案が解決しようする課題】
【０００３】本案は木ねじを通常のボルトとナットのように使えるようにし  木ネジ先端の尖った部分が外部に露出した場合そこに触れて怪我をしないように  またボルトを通す穴が無くても何処にでも木ねじの  ねじ込める利点を生かし  さらに連結力を高めようという考案である。
【課題を解決するための手段】
【０００４】本案は  六角柱状の合成樹脂の中心に木ネジより細い穴を開けた構造である、外観の形状はスパナやプライヤーで回すことの出来る形状の物であれば丸  四角  いずれでも構わない。
【考案の効果】
【０００５】従来ボルトとナットを使っていた部分に  木ねじと本案を利用することが出来る  また薄い板どうしを留めるときにも  長い木ねじを使う事が出来  出過ぎた先端に本案のナットを取り付けることにより  怪我  の危険性が  なくなり  締め付け効果も高まるので  どんなに薄い板でも  強力に接合出来る  またボルトを貫通させる穴がなくても木ネジの場合何処でも貫通させられる  またボルトとナットであれば  ねじ山の大きさとピッチが合わなければ入らなかったが、本案の場合木ネジが切り込むように入って行くので多少木ネジの大きさが違っても締め付けられる。
【考案を実施するための最良の形態】
【０００６】薄い板どうしを木ネジで留める場合  座金を通した木ネジを重ね合わせた板にねじ込み出てきた木ネジの先端に本案の穴になった中心部を合わせ  きつくなるまでスパナ等で締め込む。金属板どうしであっても穴の開いた部分に木ネジを通し同じように固定できる【０００７】本案はボルトとナットの関係のように木ネジのねじ込み力の上に本案のナットの締め付け力でさらに安定した接合と安全を目的とする。
上記のような構造をしたものを基本とする。【０００８】
【図面の簡単な説明】
【０００９】
【図１】  本考案の平面図
【図２】  本考案の斜視図
【図３】  本考案使用状況の透視斜視図
【符号の説明】▲１▼  六角柱状の合成樹脂
▲２▼  木ネジより細い穴
▲３▼  木ネジ
▲４▼  座金
▲５▼  板
▲６▼  スパナ
【図１】
0003150623.tif 000003
【図２】
0003150623.tif 000004
【図３】
0003150623.tif 000005
(57)【要約】      （修正有）【課題】装飾具本体に、文字、文章、記号等を印字するか、又は、印刷されたものを貼り付けるなどして、靴紐の表面上に装着する靴紐の装飾具を提供する。【解決手段】管状に形成された装飾具本体１の表面に、文字、記号等５を印刷するか、又は、印刷されたものを貼り付け、外側紐通孔３と内側紐通孔４の間の靴紐２に装着できることを特徴とする紐靴の装飾具。【選択図】図４
0003150624.tif 000002
【実用新案登録請求の範囲】
【請求項１】
靴紐に嵌挿可能な管状を装飾具本体として形成し、この装飾具本体の表面又は／及び裏面に文字、番号、または記号を印刷するか、当該印字がなされたテープ状のものを装飾具本体の表面又は／及び裏面に貼着したことを特徴とする、靴紐の装飾具。
【考案の詳細な説明】
【技術分野】
【０００１】  本考案は、塩化ビニール等の管に、文字、記号等を印字して、靴の紐に通し、紐靴に装着する装飾具に関するものである。
【背景技術】
【０００２】  近年、靴にワッペン状の装飾体を貼付するもの、又、靴紐の先端に装飾体を装着するものなど、靴に装飾体を取り付けてお洒落を楽しむことが出来るようになっている（特許文献１）。
【先行技術文献】
【特許文献】
【０００３】
【特許文献１】実用新案登録第３０９７８５３号
【考案の概要】
【考案が解決しようとする課題】
【０００４】  本考案の目的とするところは、靴紐に着脱自在に装着できる靴紐のための装飾具であり、紐の長さ、太さ、模様等に係わらず、あらゆる種類の靴紐に適用できる装飾具を提供することである。
【課題を解決するための手段】
【０００５】  文字などが印刷された、又は、印刷されたものが貼られた管状の本体を、紐靴の紐に、装脱可能なことを特徴とする、靴紐の装飾具。
【考案の効果】
【０００６】  本考案の装飾具は、本体に任意の文字、記号等を印刷、又は、印刷されたものを貼るものであるから、靴紐の長さ、太さ、模様などに係わりなく好みのものを印刷して装着することができる。また幾つも同時に装着でき、靴のお洒落を楽しむことができるものである。
【図面の簡単な説明】
【０００７】
【図１】  本考案の一実施例を示す斜視図
【図２】  本考案の他の実施例を示す斜視図
【図３】  本考案の縦断面図
【図４】  本考案の使用状態を示す靴の平面図
【考案を実施するための形態】
【０００８】  本考案の実施の形態について、図を参照しつつ説明すれば、図４は、本考案の靴紐装飾具の使用状態を示すものであるが、靴の外側紐通孔（３）と内側紐通孔（４）の間に、本考案の装飾具が装着された状態を示している。本考案の装飾具本体（１）は、図３の断面図に示す様に、筒状から成っており、靴紐を嵌挿可能な様に、中を空洞として、両端開口の様に形成されている。実施例としては、プラスチックや弾性ゴム等によるチューブとしてもよく、又、より靴紐への密着度を増す為、管状ばかりでなく、きし麺の様な扁平体として形成することもよい。表面には文字、記号等が印刷されている。これら文字、記号等は、図１に示す様な、抽象的な熟語を表すもの、又、図２の様に、単に姓名を表すもの、としてもよい。又、スポーツシューズ等において、バレーボールやバスケットボール等のチーム名を表示してもよく、そのトレードマーク等の記号、図案でも構わない。更には、応援メッセージ的な「がんばれ○○」「必勝○○」といったキャッチフレーズ的なものとしてもよい。
【０００９】  本考案の他の実施例として、図２に示す様に、文字や記号を予め接着剤付きの、透明又は色付き、色なしの不透明なテープ状のものに印刷しておき、これを本体に貼着する事が考えられる。この際、装飾具本体の色、印字の色は限定されるものではない。
【符号の説明】
【００１０】１        装飾具本体
２        靴紐
３        外側紐通孔
４        内側紐通孔
５        文字、記号等
【図１】
0003150624.tif 000003
【図２】
0003150624.tif 000004
【図３】
0003150624.tif 000005
【図４】
0003150624.tif 000006
(57)【要約】      （修正有）【課題】自然木が生かされた装飾性に優れる照明装置を提供する。【解決手段】樹皮を除去した柱状木材の内部が筒状に除去されて内部を収納部４とするとともにその周壁部２に光照射開口７を備えるカバー体１と、その収納部４内に収納される照明具１１とを備えてなる照明装置。【選択図】図２
0003150627.tif 000002
【実用新案登録請求の範囲】
【請求項１】
樹皮を除去した柱状木材の内部が筒状に除去されて内部を収納部とするとともに、その周壁部に光照射開口を備えるカバー体と、
前記収納部内に収納される照明具と、
を備えてなることを特徴とする照明装置。
【請求項２】
前記光照射開口の内面側に沿って不透明光透過シートが設けられてなる請求項１記載の照明装置。
【請求項３】
前記光照射開口が上下方向に複数列備えられ、前記照明具が前記複数列の光照射開口それぞれに対応するように縦長形状である請求項１または２記載の照明装置。
【考案の詳細な説明】
【技術分野】
【０００１】  この考案は、装飾性に優れる照明装置に関する。
【背景技術】
【０００２】  最近では、家屋の居間などのデザイン性が高くなり、そこに置かれる照明装置もそれに伴ったデザイン性の高いものが求められている。
【考案の開示】
【考案が解決しようとする課題】
【０００３】  この考案では、自然木が生かされた装飾性に優れる照明装置を提供することを目的とする。
【課題を解決するための手段】
【０００４】  この考案では、樹皮を除去した柱状木材の内部が筒状に除去されて内部を収納部とするとともに、その周壁部に光照射開口を備えるカバー体と、前記収納部内に収納される照明具とを備えてなることを特徴とする照明装置を提供する。【０００５】  上記構成の照明装置は、部屋空間が明るく内部の照明具が点灯されない場合は、カバー体が自然木であることで和風調の置物となる。部屋内空間が暗くされた状態において照明具が点灯されることで、その光が光照射開口より外部に到り、照明装置は一見「行燈」のように見えて美しさを創出する。【０００６】  光照射開口の内面側に沿って不透明光透過シートを設けることで、外部から内部の照明具等が見えにくくなりデザイン性が高められる。光照射開口の形態や個数は適宜であってよいが、光照射開口が上下方向に複数列に備えられ、照明具がそれら複数列の光照射開口それぞれに対応するように縦長形状とされることで、照明具からの光がそれぞれの光照射開口に均等に至り、照明機能が高められる。不透明光透過シートとしては、襖紙や薄布片や樹脂シートが用いられる。【０００７】  柱状木材としては、杉や欅等の木目、木肌の美しいものが好適に用いられ、その形状は円柱、角柱の適宜であってよい。
【考案の効果】
【０００８】  この考案によれば、自然木が生かされ置物にも兼用される装飾性に優れる照明装置が提供される。
【考案を実施するための形態】
【０００９】  図１はこの考案の照明装置の実施形態の外観斜視図、図２は同断面図、図３は同分解斜視図である。
【００１０】  照明装置Ｓは、カバー体１と襖紙（不透明光透過シート）３と照明台５とからなる。カバー体１は全体が樹皮の除去された木肌をそのままに露呈する杉の丸太材よりなり、その上端側が閉じられた状態において内部が断面環状の周壁部２を残すようにくり抜き除去され、そこが収納部４とされている。周壁部２の前面側には光照射開口７のそれぞれが上下方向に４列設けられている。９は丸太材の歪みを防止する切り欠き部である。
【００１１】  襖紙３は筒状とされたものが光照射開口７それぞれの内面側に沿うようにカバー体１内に配置されて用いられ、照明台５は木製板よりなる下台１２とその上面中央に立設される縦長の照明具１１とからなる。照明具１１は内部にその長手方向に沿って複数個のＬＥＤ１４が装着されて構成されている。照明装置Ｓは、照明台５の下台１２上に、内部所定位置に襖紙３が装着されたカバー体１がその収納部４内に照明具１１を収納するように立設載置されることで構成されている。
【００１２】  部屋空間が明るく照明具１１が点灯されない場合は、カバー体１はその全周表面が艶のある木肌を備え、さらに上端面１５等に木目が露呈していることで、照明装置Ｓは和風のきわめて格調の高い置物として用いられる。また、光照射開口７のそれぞれが襖紙３により閉ざされていることで内部の照明具１１等が見えにくく、この点においてもデザイン性が高められている。くわえて、カバー体１は杉の丸太材よりなることで、製造後初期の段階において木の香を発する芳香発生効果も奏する。
【００１３】  部屋内空間が暗くされた状態において、照明具１１が点灯されることでその光が襖紙３を通して光照射開口７より外部に到り、照明装置Ｓは一見「行燈」のように見えて、きわめて美しいものとなる。その際、上下方向に複数列に設けられた光照射開口７それぞれに対して縦長の照明具１１から照射光が均等に至り、光照射開口７からムラ無く照明光が外部に至る。また、照明具１１におけるＬＥＤ１４を時差を持たせ点灯することで、光照射開口７それぞれからの光が揺れるように見え、さらに美しさが増大される。
【図面の簡単な説明】
【００１４】
【図１】この考案の照明装置の実施形態の外観斜視図
【図２】この考案の照明装置の実施形態の断面図
【図３】この考案の照明装置の実施形態の分解斜視図
【符号の説明】
【００１５】Ｓ    照明装置
１    カバー体
２    周壁部
３    襖紙（不透明光透過シート）
４    収納部
７    光照射開口
１１  照明具
【図１】
0003150627.tif 000003
【図２】
0003150627.tif 000004
【図３】
0003150627.tif 000005